(57)【要約】【課題】着用前における発熱反応の開始を抑え、着用開始時から効率よく着用者の子宮を温めて生理痛を低減する。【解決手段】本発明に係る吸収性物品１は、液透過性の表面シート１１と、液不透過性の裏面シート１２と、表面シート１１と裏面シート１２との間に配置される吸収体２とを有する吸収性物品１であって、表面シート１１と裏面シート１２との間で、かつ、吸収体１が設けられている領域よりも吸収性物品１の長手方向Ｌの外側に、発熱体３Ａ、３Ｂが配置されるように構成されており、裏面シート１２は、酸素不透過性を有し、表面シート１１の肌当接面側には、発熱体３Ａ、３Ｂを覆うように酸素不透過性のバリアシート５１Ａ、５１Ｂが配置されている。【選択図】図１
2012075563.tif 000002
【特許請求の範囲】
【請求項１】
液透過性の表面シートと、液不透過性の裏面シートと、前記表面シートと前記裏面シートとの間に配置される吸収体とを有する吸収性物品であって、
前記表面シートと前記裏面シートとの間で、かつ、前記吸収体が設けられている領域よりも前記吸収性物品の長手方向の外側に、発熱体が配置されるように構成されており、
前記裏面シートは、酸素不透過性を有し、
前記表面シートの肌当接面側には、前記発熱体を覆うように酸素不透過性のバリアシートが配置されていることを特徴とする吸収性物品。
【請求項２】
前記吸収体と前記発熱体との間で、前記液透過性の表面シートと前記液不透過性の裏面シートとを接合するシール部が形成されていることを特徴とする請求項１記載の吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、吸収体と表面シート又は裏面シートとの間に発熱体層が設けられている吸収性物品が開示されている。このような吸収性物品では、一般的に、発熱体層は、鉄粉を含んでおり、鉄粉の酸化反応によって発熱するように構成されている。
【先行技術文献】
【特許文献】
【０００３】
【特許文献１】ＣＮ１０１２７３９３８Ａ
【発明の概要】
【発明が解決しようとする課題】
【０００４】
しかしながら、上述の吸収性物品では、吸収性物品を包装する包装体の気密性が低下したときに、大気中の酸素や水分が包装体内に入り込み、発熱反応がゆるやかに進行していることがあった。その結果、吸収性物品を着用してからの発熱持続時間が短くなったり、発熱量が設計値に満たないという問題点があった。
【０００５】
また、着用者が包装体を開封してから吸収性物品を着用するまでに時間差がある場合も、同様の問題点があった。
【０００６】
そこで、本発明は、上述の課題に鑑みてなされたものであり、着用前における発熱反応の開始を抑え、着用開始時から効率よく着用者の子宮を温めて生理痛を低減することのできる吸収性物品を提供することを目的とする。
【課題を解決するための手段】
【０００７】
本発明の第１の特徴は、吸収性物品であって、液透過性の表面シートと、液不透過性の裏面シートと、前記表面シートと前記裏面シートとの間に配置される吸収体とを有する吸収性物品であって、前記表面シートと前記裏面シートとの間で、かつ、前記吸収体が設けられている領域よりも前記吸収性物品の長手方向の外側に、発熱体が配置されるように構成されており、前記裏面シートは、酸素不透過性を有し、前記表面シートの肌当接面側には、前記発熱体を覆うように酸素不透過性のバリアシートが配置されていることを要旨とする。
【発明の効果】
【０００８】
以上説明したように、本発明によれば、着用前における発熱反応の開始を抑え、着用開始時から効率よく着用者の子宮を温めて生理痛を低減することのできる吸収性物品を提供することができる。
【図面の簡単な説明】
【０００９】
【図１】本発明の第１の実施形態に係る吸収性物品の肌当接面側から見た平面図である。
【図２】本発明の第１の実施形態に係る吸収性物品の肌当接面側から見た平面図におけるａ-ａ断面図である。
【図３】本発明の第１の実施形態に係る吸収性物品が下着に着用された状態を説明するための図である。
【図４】本発明の第１の実施形態に係る吸収性物品が下着に着用された状態を説明するための図である。
【発明を実施するための形態】
【００１０】
（本発明の第１の実施形態）
図１乃至図３を参照して、本発明の第１の実施形態に係る吸収性物品１について説明する。例えば、本実施形態に係る吸収性物品１は、パンティライナーや失禁パッドや生理用ナプキン等である。
【００１１】
図１に、本発明の第１の実施形態に係る吸収性物品の肌当接面側から見た平面図を示し、図２に、本発明の第１の実施形態に係る吸収性物品の肌当接面側から見た平面図におけるａ-ａ断面図を示す。
【００１２】
図２に示すように、本実施形態に係る吸収性物品１は、液透過性の表面シート１１と、液不透過性の裏面シート１２と、表面シート１１と裏面シート１２との間に配置される吸収体２とを有する。裏面シート１２は、酸素不透過性を有する。
【００１３】
なお、本実施形態に係る吸収性物品１において、表面シート１１と吸収体２との間に、セカンドシートが配置されていてもよい。
【００１４】
吸収体２は、粉砕パルプ及び高吸収ポリマーと両者を包み込むコアラップとによって構成されている。ここで、高吸収ポリマーは、ポリアクリル酸ナトリウム架橋体の粒状のポリマーである。
【００１５】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００１６】
また、本実施形態に係る吸収性物品１には、図１に示すように、複数の圧搾溝２１、２２、２３が設けられていてもよい。ここで、圧搾溝２１、２２、２３は、表面シート１１から吸収体２までを圧搾するように構成されている。
【００１７】
また、本実施形態に係る吸収性物品１は、図１に示すように、吸収性物品１の幅方向Ｗの両外側に延出するように形成されている１対のウィング部４１を有していてもよい。さらに、本実施形態に係る吸収性物品１は、吸収性物品１の長手方向Ｌにおいて、ウィング部４１の後方に、１対のヒップフラップ部４２を有していてもよい。
【００１８】
ここで、ウィング部４１及びヒップフラップ部４２では、裏面シート１２の衣服当接面側に、吸収性物品１を下着に固定するための粘着剤が塗布されている。
【００１９】
また、本実施形態に係る吸収性物品１では、図１及び図２に示すように、表面シート１１と裏面シート１２との間で、かつ、吸収体２が設けられている領域よりも吸収性物品１の長手方向Ｌの外側に、発熱体３Ａ、３Ｂが配置されるように構成されている。
【００２０】
発熱体３Ａ、３Ｂは、公知の使い捨てカイロなどに使用しているものが挙げられ、鉄粉と活性炭と塩化ナトリウムとからなるものを使用することができる。この複合粉末を包むシートとしては、通気性を有し、粉末の漏れ出しを防ぐものが好ましく、例えば、透湿性フィルムやメルトブローン不織布等が好適に用いられる。
【００２１】
また、本実施形態に係る吸収性物品１では、図１及び図２に示すように、表面シート１１の肌当接面側には、発熱体３Ａ、３Ｂを覆うように酸素不透過性のバリアシート５１Ａ、５１Ｂが配置されている。
【００２２】
バリアシート５１Ａ、５１Ｂは、図１及び図２に示すように、吸収性物品１において、発熱体３Ａ、３Ｂが配置された部分（発熱部３１Ａ、３１Ｂという）を覆っている。発熱部３１Ａ、３１Ｂにおいて、バリアシート５１Ａ、５１Ｂは、表面シート１１と接している。
【００２３】
バリアシート５１Ａ、５１Ｂの全面又は外縁部には、皮膚低刺激性や再剥離性を有する接着剤が塗布されている。接着剤は、例えば、アクリル系接着剤である。
【００２４】
バリアシート５１Ａ、５１Ｂは、酸素を透過しないシートであればよく、一般的に公知のガスバリア性に優れたフィルムが用いられる。例えば、ポリエステルフィルム、ポリアミドフィルム、ポリオレフィンフィルムなどの延伸フィルム上に、物理蒸着あるいは化学蒸着などの蒸着法により、酸化アルミニウムや酸化ケイ素などの無機化合物の薄膜を蒸着した無機化合物蒸着プラスチックフィルム、塩化ビニリデン樹脂を薄く塗布した延伸ポリプロピレンフィルム又はナイロンフィルムなどが挙げられる。他にも、アルミニウム箔といった金属フィルムであっても良い。なお、裏面シート１２も同様の材料が用いられる。
【００２５】
なお、本実施形態に係る吸収性物品１において、吸収体２が設けられている領域よりも吸収性物品１の長手方向Ｌの前方側及び後方側に、発熱体３Ａ、３Ｂが配置されるように構成されていてもよいし、吸収体１が設けられている領域よりも吸収性物品１の長手方向Ｌの前方側のみに、発熱体３Ａが配置されるように構成されていてもよい。発熱体３Ａのみが配置される場合には、吸収性物品１には、バリアシート５１Ａのみが配置される。
【００２６】
また、吸収性物品１の周囲は、接着剤やシールで接合されてシール部２４を形成しており、さらに、発熱体３Ａ、３Ｂと吸収体２との間も接着剤やシールで接合され、シール部２５Ａ、２５Ｂを形成している。このシール部２５Ａ及び２５Ｂにより、吸収体２の吸収された排泄物や水分から発生する蒸気が発熱体３Ａ及び３Ｂによって直接暖められることを防止することができる。
【００２７】
本実施形態に係る吸収性物品において、接着剤は、バリアシート５１Ａ、５１Ｂの全面又は外縁部に塗布されており、バリアシート５１Ａ、５１Ｂは、シール部２４、２５Ａ、２５Ｂと密着している。これにより、発熱体３Ａ、３Ｂは、バリアシート５１Ａ、５１Ｂと裏面シート１２とにより密封されている。
【００２８】
また、発熱体３Ａ、３Ｂが設けられている領域では、裏面シート１２の衣服当接面側に、吸収性物品１を下着に固定するための粘着剤が塗布されていてもよい。
【００２９】
図３及び図４に、本実施形態に係る吸収性物品１が下着１００に着用された状態を示す。
【００３０】
着用者は、吸収性物品１を下着１００に着用する際に、ウィング部４１を下着のクロッチに巻き込み、ヒップフラップ部４２を下着１００の上に広げて、吸収性物品１を下着１００に固定する。
【００３１】
発熱体３Ａ、３Ｂは、図３に示すように、本実施形態に係る吸収性物品１が下着１００に着用された状態において、下着１００の内側面に固定されるように構成されていてもよい。
【００３２】
また、発熱体３Ａ、３Ｂは、図４に示すように、本実施形態に係る吸収性物品１が下着１００に着用された状態において、下着１００の外側面に固定されるように構成されていてもよい。
【００３３】
本実施形態に係る吸収性物品１によれば、吸収体１が設けられている領域には、発熱体３Ａ、３Ｂが配置されないように構成されているため、体液を吸収した吸収体を温めることに起因する着用者の肌及び表面シート１１の表面における蒸れを発生させることなく、着用者の子宮を温めて生理痛を低減することができる。
【００３４】
本実施形態に係る吸収性物品１によれば、着用者が、吸収性物品１を下着１００に装着するときに、バリアシート５１Ａ、５１Ｂを剥がすと、発熱体３Ａ、３Ｂに酸素が触れて、発熱体３Ａ、３Ｂが発熱を開始するため、着用開始時から効率よく着用者の子宮を温めて生理痛を低減することができる。裏面シート１２は、酸素不透過性を有し、表面シート１１の肌当接面側には、発熱体３Ａ、３Ｂを覆うように酸素不透過性のバリアシート５１Ａ、５１Ｂが配置されているため、着用者がバリアシート５１Ａ、５１Ｂを剥がす前に、発熱体３Ａ、３Ｂが発熱反応を開始することを抑制できる。従って、着用者が包装体から吸収性物品を取り出して、バリアシート５１Ａ、５１Ｂを剥がすまで、発熱体３Ａ、３Ｂが発熱反応を開始することを確実に抑止できる。
【００３５】
また、本実施形態に係る吸収性物品１によれば、発熱体３Ａ、３Ｂが、吸収性物品１と一体となっているため、着用者は、発熱体３Ａ、３Ｂが温かくなくなってきた場合に、吸収性物品１の取替え時期が来たと気付くことができる。
【００３６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００３７】
１…吸収性物品
２…吸収体
３Ａ、３Ｂ…発熱体
１１…表面シート
１２…裏面シート
２１、２２、２３…圧搾溝
３１Ａ、３１Ｂ…発熱部
４１…ウィング部
４２…ヒップフラップ部
５１Ａ、５１Ｂ…バリアシート
【図１】
2012075563.tif 000003
【図２】
2012075563.tif 000004
【図３】
2012075563.tif 000005
【図４】
2012075563.tif 000006